(57)【要約】【課題】基材の変形を抑制することで、容器外観を向上させることができ、店頭展示性に優れる。【解決手段】歯ブラシ２をシート状の台紙３上に積載した状態で、スキンパックフィルム４を吸引して固着させることによって台紙３にスキンパックフィルム４を接着させて歯ブラシ２を包装するスキンパックであって、台紙３には、縦方向Ｘ及び横方向Ｙに延びるリブ５が設けられ、リブ５は、台紙３の外周端縁の近傍に配置されるとともに、歯ブラシ２の全周に設けられている構成の歯ブラシ容器１を提供する。【選択図】図１
2014114046.tif 000002
【特許請求の範囲】
【請求項１】
内容物をシート状の基材上に積載した状態で、スキンパックフィルムを吸引して固着させることによって前記基材にスキンパックフィルムを接着させて前記内容物を包装するスキンパックであって、
前記基材には、縦方向及び横方向の少なくとも一方向に延びるリブ又は段差が設けられていることを特徴とするスキンパック。
【請求項２】
前記リブ又は段差は、前記基材の外周端縁の近傍に配置されていることを特徴とする請求項１に記載のスキンパック。
【請求項３】
前記リブ又は段差は、前記内容物の全周に設けられていることを特徴とする請求項１又は２に記載のスキンパック。
【請求項４】
前記基材は台紙であって、
該台紙の紙目方向が前記リブ又は段差の延在方向に直交して配置されていることを特徴とする請求項１乃至３のいずれか１項に記載のスキンパック。
【請求項５】
前記内容物は、歯ブラシであることを特徴とする請求項１乃至４のいずれか１項に記載のスキンパック。
【発明の詳細な説明】
【技術分野】
【０００１】
本発明は、店頭展示性に優れたスキンパックに関する。
【背景技術】
【０００２】
従来、歯ブラシ容器として、例えば下記特許文献１に示されているような、歯ブラシの特徴を視認し易く、店頭展示性に優れ、生産性に優れているブリスターパックが知られている。一方、同様な包装形態であって、内容物の視認性に優れ、さらに薄いフィルムを介して内容物に触れることが可能なことを特徴としたスキンパックが知られている。
【先行技術文献】
【特許文献】
【０００３】
【特許文献１】実開平５−４９６６４号公報
【発明の概要】
【発明が解決しようとする課題】
【０００４】
しかしながら、従来のスキンパックでは、スキンパックフィルムと台紙の間に内容物を配置し、台紙の裏面側から脱気することでフィルムを内容物とともに台紙の表面側に密着し固定している。そのため、脱気時のフィルムの収縮によって台紙が表面側に凹状に変形して外観を損なうという問題があった。
また、店頭に展示される箇所の湿度によっては、前記台紙が紙目と直交する方向に反って湾曲変形するおそれもあり、店頭展示性が低下することから、その点で改良の余地があった。
【０００５】
本発明は、このような事情に鑑みてなされたものであって、基材の変形を抑制することで、容器外観を向上させることができ、店頭展示性に優れたスキンパックを提供することを目的とする。
【課題を解決するための手段】
【０００６】
上記目的を達成するため、本発明に係るスキンパックでは、内容物をシート状の基材上に積載した状態で、スキンパックフィルムを吸引して固着させることによって前記基材にスキンパックフィルムを接着させて前記内容物を包装するスキンパックであって、前記基材には、縦方向及び横方向の少なくとも一方向に延びるリブ又は段差が設けられていることを特徴としている。
【０００７】
本発明では、基材の内容物の周囲に縦方向及び横方向の少なくとも一方向に延びるリブ又は段差を設けることで、前記リブ又は段差の延在する方向に反って変形するのを抑えるように基材を補強することができる。そのため、スキンパックの製造時における吸引によって生じるスキンパックフィルムの収縮に伴う台紙の変形や、温度や湿度に伴う台紙の変形を防止することがきる。
【０００８】
また、本発明のスキンパックでは、前記リブ又は段差は、前記基材の外周端縁の近傍に配置されていることが好ましい。
【０００９】
この場合には、基材の反りが生じ易い外周端縁にリブ又は段差が設けられるので、効果的に基材の反りを防止することが可能な補強を行うことができる。
【００１０】
また、本発明のスキンパックでは、前記リブ又は段差は、前記内容物の全周に設けられていることが好ましい。
【００１１】
この場合、内容物の外周部の全周にわたってリブ又は段差が延在するので、基材の縦方向と横方向のそれぞれに沿って生じる基材の反りや変形を防止することができる。しかも、内容物を囲うようにしてリブ又は段差が延在するので、容器外観をより一層良好とすることができる。
【００１２】
また、本発明のスキンパックでは、前記基材は台紙であって、該台紙の紙目方向が前記リブ又は段差の延在方向に直交して配置されていることが好ましい。
【００１３】
本発明では、リブ又は段差の延在方向と直交して台紙の紙目方向を配置してスキンパックを製造することで、リブ又は段差の延在方向と紙目方向とを直交させることができ、台紙に生じる反りや変形を効果的に抑えることができる。
【００１４】
また、本発明のスキンパックでは、前記内容物は、歯ブラシであることが好ましい。
【００１５】
この場合、リブ又は段差によって補強されたスキンパックにより歯ブラシを包装することができる。
【発明の効果】
【００１６】
本発明に係るスキンパックによれば、基材の変形を抑制することで、容器外観を向上させることができ、店頭展示性に優れるという効果を奏する。
【図面の簡単な説明】
【００１７】
【図１】本発明の実施の形態よる歯ブラシを包装したスキンパックの斜視図である。
【図２】図１に示すＡ−Ａ線断面図であって、スキンパックに形成されるリブの構成を示す断面図である。
【図３】他の実施の形態によるスキンパックの斜視図であって、図１に対応する図である。
【発明を実施するための形態】
【００１８】
以下、本発明によるスキンパックの実施の形態について図面を参照して説明する。
図１に示すように、本実施の形態の歯ブラシ容器１（スキンパック）は、歯ブラシ２（内容物）をシート状の縦長の台紙３（基材）上に積載した状態で、スキンパックフィルム４を吸引して固着させることによって、台紙３にスキンパックフィルム４を接着させて歯ブラシ２を包装するためのものである。
【００１９】
歯ブラシ２は、植毛部２１、首部２２、ハンドル部２３からなり、植毛部２１にはキャップ２４が被着されている。なお、歯ブラシ２は、台紙３の表面３ａに対して横に寝かした姿勢で配置させてスキンパックフィルム４によって密着包装されているが、歯ブラシ２の姿勢は任意に設定することができ、またキャップ２４を省略することも可能である。
【００２０】
台紙３は、 包装される歯ブラシ２が配置される長方形状の本体部３１と、本体部３１の長手方向の一端に連設されるとともに該本体部３１を店頭に陳列する際に図示しない棒状部材等に係止するための係止部３２と、を備えている。係止部３２には、本体部３１との間に鍵形状の凹部３３が形成されている。
【００２１】
本体部３１には、その長手方向に沿って歯ブラシ２が配置されている。ここで、以下、台紙３の本体部３１の長手方向を縦方向Ｘといい、短手方向を横方向Ｙという。
【００２２】
スキンパックフィルム４としては、一般的なグレードのものを使用することができるが、例えば、軟質塩化ビニルフィルム、アイオノマーフィルム、ポリエチレンフィルム、エチレン−酢酸ビニル共重合体フィルム等を用いることができる。
【００２３】
図１及び図２に示すように、台紙３には、包装される歯ブラシ２の全周に配置されるとともに、縦方向Ｘ及び横方向Ｙに延びるリブ５が形成されている。リブ５は、台紙３の外周端縁の近傍に沿って配置され、スキンパックフィルム４とともに台紙３が表面３ａ側（歯ブラシ２が配置される面側）に凸となるように形成されている。
具体的にリブ５は、図１に示すように、本体部３１の縦方向Ｘに沿って延在する縦部５１と、横方向Ｙに沿って延在する横部５２と、凹部３３に沿って延在する凹部分５３とからなり、それぞれが連設している。なお、凹部分５３も、縦方向Ｘに延びる部分及び横方向Ｙに延びる部分から構成されている。
【００２４】
ここで、リブ５の形状としては、図２に示すように、例えば台紙３の厚さ寸法ｔが０．４０ｍｍの場合で、高さ寸法Ｈを約０．４ｍｍ、幅寸法Ｄを約１．５ｍｍに設定することができる。
【００２５】
また、台紙３の紙目方向は、一方向（本実施の形態では横方向Ｙ）に沿う方向に一致している。なお、上記の紙目方向とは、湿度が高い場合に湾曲変形によって反る方向と直交している。
【００２６】
次に、上述したように構成された歯ブラシ容器１の作用について説明する。
図１に示すように、本実施の形態では、台紙３の歯ブラシ２の周囲に縦方向Ｘ及び横方向Ｙに延びるリブ５を設けることで、リブ５の延在する方向に反って変形するのを抑えるように台紙３を補強することができる。そのため、歯ブラシ容器１の製造時における吸引によって生じるスキンパックフィルム４の収縮に伴う台紙３の変形や、温度や湿度に伴う台紙３の変形を防止することがきる。
【００２７】
また、台紙３の反りが生じ易い外周端縁にリブ５が設けられるので、効果的に台紙３の反りを防止することが可能な補強を行うことができる。
さらに、歯ブラシ２の外周部の全周にわたってリブ５が延在するので、台紙３の縦方向Ｘと横方向Ｙのそれぞれに沿って生じる台紙３の反りや変形を防止することができる。しかも、歯ブラシ２を囲うようにしてリブ５が延在するので、容器外観をより一層良好とすることができる。
【００２８】
さらにまた、本実施の形態では、リブ５の延在方向と直交して台紙３の紙目方向を配置して歯ブラシ容器１を製造することで、リブ５の延在方向と紙目方向とを直交させることができ、台紙３に生じる反りや変形を効果的に抑えることができる。
【００２９】
上述のように本実施の形態による歯ブラシ容器１では、台紙３の変形を抑制することで、容器外観を向上させることができ、店頭展示性に優れるという効果を奏する。
【００３０】
以上、本発明に係るスキンパックの実施の形態について説明したが、本発明は上記した実施の形態に限定されるものではなく、その趣旨を逸脱しない範囲で適宜変更可能である。
【００３１】
例えば、本実施の形態では、台紙３の全周にわたってリブ５が延在する構成としているが、これに限定されることはなく、例えば部分的にリブ５を設けることも可能である。例えば、図３に示す他の実施の形態による歯ブラシ容器１Ａ（スキンパック）では、台紙３の縦方向Ｘのみにリブ５（縦部５１）を設けた構成としている。要は、縦方向Ｘ及び横方向Ｙの少なくとも一方にリブ５が形成されていれば良いのである。
【００３２】
また、リブ５は、基材（台紙３）の外周端縁の近傍に沿った位置に設けられることに限定されることはなく、内容物（歯ブラシ２）の近傍位置に設けるようにしても良い。
さらに、本実施の形態では、全周連続してリブ５が設けられているが、部分的にリブ５が形成されていない状態で、リブ５が不連続に配置されていてもかまわない。例えば、上記実施の形態において凹部３３に沿う部分や、台紙３の隅角部分にリブを設けないようにすることも可能である。
さらにまた、リブ５は、台紙３の表面３ａ側に凸となる形状ではなく、裏面３ｂ側に凸となるリブ形状であってもかまわない。
【００３３】
また、本実施の形態のように台紙３の表面３ａ側に凸となるリブ５であることに制限されることはなく、縦方向Ｘ及び横方向Ｙの少なくとも一方に延在する段差であっても良い。例えば、台紙３の歯ブラシ２が配置される部分に対して、外周部分を一段、裏面側に向けて低くした形状とすることができる。
【００３４】
さらに、リブ５の高さ寸法、幅寸法Ｄなどの形状、大きさなどの構成は、必要に応じて適宜変更することが可能である。
【００３５】
さらにまた、本実施の形態では台紙３をスキンパックフィルム４の基材としているが、このような紙台紙に限定されることはなく、例えばプラスチック製の基材を用いることも可能である。
【００３６】
そして、本実施の形態では、スキンパックが歯ブラシ容器１であって、包装する内容物を歯ブラシ２としているが、歯ブラシ２に限定されることはなく、例えば  等、他の内容物も適用対象とすることができる。
【００３７】
その他、本発明の趣旨を逸脱しない範囲で、上記した実施の形態における構成要素を周知の構成要素に置き換えることは適宜可能である。
【符号の説明】
【００３８】
１、１Ａ  歯ブラシ容器（スキンパック）
２  歯ブラシ（内容物）
３  台紙（基材）
３ａ  表面
３ｂ  裏面
４  スキンパックフィルム
５  リブ
３１  本体部
３２  係止部
３３  凹部
５１  縦部
５２  横部
Ｘ  縦方向
Ｙ  横方向
【図１】
2014114046.tif 000003
【図２】
2014114046.tif 000004
【図３】
2014114046.tif 000005